(57)【要約】      （修正有）【課題】光ディスクに格納されているコンテンツを視聴するユーザの利便性を向上させることのできる技術を提供する。【解決手段】光ディスクプレーヤは、ディスクＩＤを取得するディスク情報取得部１１１と、ディスクＩＤをサーバに送信する認証リクエスト部１１４と、サーバから認証結果を取得する認証結果取得部１１５と、サービス概要情報を取得するサービス提供部１１７と、光ディスクの認証をユーザに促すと共にサービス概要情報をユーザに通知するタイトルキー管理部１１３及びモニターを制御する表示制御部１１８と、を備えている。【選択図】図３
2016091473.tif 000002
【特許請求の範囲】
【請求項１】
対象の光ディスクから、当該対象の光ディスクを他の光ディスクから識別する情報である光ディスク識別情報を取得する光ディスク識別情報取得部と、
上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得部と、
上記対象の光ディスクの認証をユーザに促すと共に、上記サービス概要情報をユーザに通知する通知部と、を備えている、
ことを特徴とする再生装置。
【請求項２】
上記対象の光ディスクの認証は、上記対象の光ディスク識別情報をサーバに送信することにより行われるものである
ことを特徴とする請求項１に記載の再生装置。
【請求項３】
上記光ディスク識別情報による当該対象の光ディスクの認証がされているか否かを判定する判定部を更に備えており、
上記通知部は、上記判定部により認証がされていないと判定された場合に、上記対象の光ディスクの認証をユーザに促すと共に、上記サービス概要情報をユーザに通知する、
ことを特徴とする請求項１または２に記載の再生装置。
【請求項４】
上記光ディスク識別情報をサーバに送信することによる当該対象の光ディスクの認証を行う旨のユーザ指示を受け付けるユーザ指示受付部と、
上記ユーザ指示受付部が上記ユーザ指示を受け付けた場合に、上記光ディスク識別情報をサーバに送信する識別情報送信部と、
上記サーバから認証結果を取得する認証結果取得部と、
上記認証結果が上記光ディスク識別情報が認証されたことを示す場合に、上記条件付きサービスを提供するサービス提供部と、を更に備えている、
ことを特徴とする請求項１から３の何れか１項に記載の再生装置。
【請求項５】
光ディスクが自装置に挿入されたことを検知する検知部と、
上記検知部が上記光ディスクの挿入を検知した後に、上記光ディスク識別情報取得部、上記サービス概要情報取得部、及び上記通知部を動作させる制御部と、を更に備えている、
ことを特徴とする請求項１から４の何れか１項に記載の再生装置。
【請求項６】
対象の光ディスクを他の光ディスクから識別する情報である光ディスク識別情報を取得する情報取得部と、
上記情報取得部が取得した光ディスク識別情報を認証する認証部と、
上記認証部の認証結果を出力する認証結果出力部と、
上記対象の光ディスクに関連付けられた条件付きサービスであって、上記光ディスク識別情報の認証を条件として提供される条件付きサービスの概要を示すサービス概要情報を出力する出力部と、を備えている、
ことを特徴とするサーバ。
【請求項７】
再生装置の通知方法であって、
対象の光ディスクから、当該対象の光ディスクを他の光ディスクから識別する情報である光ディスク識別情報を取得する光ディスク識別情報取得ステップと、
上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得ステップと、
上記対象の光ディスクの認証をユーザに促すと共に、上記サービス概要情報をユーザに通知する通知ステップと、を含んでいる、
ことを特徴とする通知方法。
【請求項８】
サーバのサービス管理方法であって、
対象の光ディスクを他の光ディスクから識別する情報である光ディスク識別情報を取得する情報取得ステップと、
上記情報取得ステップにおいて取得した光ディスク識別情報を認証する認証ステップと、
上記認証ステップにおける認証結果を出力する認証結果出力ステップと、
上記対象の光ディスクに関連付けられた条件付きサービスであって、上記光ディスク識別情報の認証を条件として提供される条件付きサービスの概要を示すサービス概要情報を出力する出力ステップと、を含んでいる、
ことを特徴とするサービス管理方法。
【請求項９】
サーバと再生装置とを含む再生システムであって、
上記再生装置は、
対象の光ディスクから、当該対象の光ディスクを他の光ディスクから識別する情報である光ディスク識別情報を取得する光ディスク識別情報取得部と、
上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得部と、
上記対象の光ディスクの認証をユーザに促すと共に、上記サービス概要情報をユーザに通知する通知部と、
を備えており、
上記サーバは、
上記光ディスク識別情報を取得する情報取得部と、
上記情報取得部が取得した光ディスク識別情報を認証する認証部と、
上記認証部の認証結果を上記再生装置に出力する認証結果出力部と、
上記対象の光ディスクに関連付けられた条件付きサービスであって、上記光ディスク識別情報の認証を条件として提供される条件付きサービスの概要を示すサービス概要情報を上記再生装置に出力する出力部と、
を備えている、
ことを特徴とする再生システム。
【請求項１０】
請求項１から５の何れか１項に記載の再生装置としてコンピュータを機能させるためのプログラムであって、コンピュータを上記各部として機能させるためのプログラム。
【請求項１１】
請求項６に記載のサーバとしてコンピュータを機能させるためのプログラムであって、コンピュータを上記各部として機能させるためのプログラム。
【発明の詳細な説明】
【技術分野】
【０００１】
本発明は、光ディスクを再生する再生装置、サーバ、再生装置の通知方法、サーバのサービス管理方法、及び、サーバと再生装置とを含む再生システムに関する。また、再生装置及びサーバのプログラムに関する。
【背景技術】
【０００２】
映画などの映像データ、音楽などの音声データなどに代表されるコンテンツは、ＣＤ（Compact Disc）、ＤＶＤ（Digital Versatile Disc）、ＢＤ（Blu-ray（登録商標） Disc）といった光ディスク記録媒体（以下、光ディスク）に格納された状態で販売されたり、インターネット経由でデータを提供することにより販売されたりしている。
【０００３】
光ディスクに格納されているコンテンツを視聴する場合、従来では、インターネットに接続されていない光ディスクプレーヤを用いて光ディスクに格納されたコンテンツを視聴する態様が一般的であった。しかし、様々な電子機器がインターネットに接続されるようになった現在、インターネットに接続された光ディスクプレーヤ又はＰＣ（Personal Computer）を用いて光ディスクに格納されたコンテンツを視聴する態様が普及している。
【０００４】
このように、インターネット接続された光ディスクプレーヤ又はＰＣを用いて光ディスクに格納されたコンテンツを視聴する態様の普及に伴い、光ディスクに格納されたコンテンツに関連するサービスを、サーバから、インターネット経由で光ディスクプレーヤ又はＰＣに提供する態様も普及している。このようにサービスを提供する場合においては、不正なサービスの利用を排除可能な技術が求められる。情報処理装置から情報記録媒体ＩＤおよびサービスＩＤを受信するという前提（構成）において不正なサービス利用を排除可能な技術として、例えば特許文献１に記載のサービス提供サーバがある。
【先行技術文献】
【特許文献】
【０００５】
【特許文献１】特開２００５−２２３５０４号公報（２００５年８月１８日公開）
【発明の概要】
【発明が解決しようとする課題】
【０００６】
特許文献１に記載の技術では、サービス提供サーバは、ユーザが情報記録媒体ＩＤ（ディスクＩＤ）をサービス提供サーバに送信することを希望するか否かにかかわらず、光ディスクプレーヤから情報記録媒体ＩＤを取得し、正当性が確認されるとサービスの提供処理が実行される。このように、特許文献１に記載のサービス提供サーバは、ユーザが一旦光ディスクをセットすると、その後はユーザの意思にかかわらず、光ディスクプレーヤからディスクＩＤを取得しサービスの提供が実行されるためユーザの利便性という観点において改善すべき点があった。
【０００７】
本発明は、上記の問題に鑑みてなされたものであり、その主たる目的は、ユーザの利便性を向上させることのできる技術を提供することにある。
【課題を解決するための手段】
【０００８】
上記の課題を解決するために、本発明の一態様に係る再生装置は、対象の光ディスクから、当該対象の光ディスクを他の光ディスクから識別する情報である光ディスク識別情報を取得する光ディスク識別情報取得部と、上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得部と、上記対象の光ディスクの認証をユーザに促すと共に、上記サービス概要情報をユーザに通知する通知部と、を備えている。
【０００９】
上記の課題を解決するために、本発明の一態様に係るサーバは、対象の光ディスクを他の光ディスクから識別する情報である光ディスク識別情報を取得する情報取得部と、上記情報取得部が取得した光ディスク識別情報を認証する認証部と、上記認証部の認証結果を出力する認証結果出力部と、上記対象の光ディスクに関連付けられた条件付きサービスであって、上記光ディスク識別情報の認証を条件として提供される条件付きサービスの概要を示すサービス概要情報を出力する出力部と、を備えている。
【００１０】
上記の課題を解決するために、本発明の一態様に係る通知方法は、再生装置の通知方法であって、対象の光ディスクから、当該対象の光ディスクを他の光ディスクから識別する情報である光ディスク識別情報を取得する光ディスク識別情報取得ステップと、上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得ステップと、上記対象の光ディスクの認証をユーザに促すと共に、上記サービス概要情報をユーザに通知する通知ステップと、を含んでいる。
【００１１】
上記の課題を解決するために、本発明の一態様に係るサービス管理方法は、サーバのサービス管理方法であって、対象の光ディスクを他の光ディスクから識別する情報である光ディスク識別情報を取得する情報取得ステップと、上記情報取得ステップにおいて取得した光ディスク識別情報を認証する認証ステップと、上記認証ステップにおける認証結果を出力する認証結果出力ステップと、上記対象の光ディスクに関連付けられた条件付きサービスであって、上記光ディスク識別情報の認証を条件として提供される条件付きサービスの概要を示すサービス概要情報を出力する出力ステップと、を含んでいる。
【００１２】
上記の課題を解決するために、本発明の一態様に係る再生システムは、サーバと再生装置とを含む再生システムであって、上記再生装置は、対象の光ディスクから、当該対象の光ディスクを他の光ディスクから識別する情報である光ディスク識別情報を取得する光ディスク識別情報取得部と、上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得部と、上記対象の光ディスクの認証をユーザに促すと共に、上記サービス概要情報をユーザに通知する通知部と、を備えており、上記サーバは、上記光ディスク識別情報を取得する情報取得部と、上記情報取得部が取得した光ディスク識別情報を認証する認証部と、上記認証部の認証結果を上記再生装置に出力する認証結果出力部と、上記対象の光ディスクに関連付けられた条件付きサービスであって、上記光ディスク識別情報の認証を条件として提供される条件付きサービスの概要を示すサービス概要情報を上記再生装置に出力する出力部と、を備えている。
【発明の効果】
【００１３】
本発明の一態様によれば、ユーザの利便性を向上させることができる。
【図面の簡単な説明】
【００１４】
【図１】本発明の実施形態１に係るサービス提供システムの構成を示す概略図である。
【図２】上記サービス提供システムが含んでいる光ディスクプレーヤのハードウェア構成を示すブロック図である。
【図３】上記光ディスクプレーヤの備えるＣＰＵの主要な構成を示す機能ブロック図である。
【図４】上記サービス提供システムが含んでいるサーバの構成を示すブロック図である。
【図５】上記サーバの備えるＣＰＵの主要な構成を示す機能ブロック図である。
【図６】上記光ディスクプレーヤにおける認証推奨処理の流れを示すフローチャートである。
【図７】上記光ディスクプレーヤがモニタに表示する、認証の推奨および条件付きサービスの概要を通知する画面の一例を示す図である。
【発明を実施するための形態】
【００１５】
〔実施形態１〕
（サービス提供システム１の概略）
以下、本発明の第１の実施形態について、図１〜図８を参照して詳細に説明する。図１は、本実施形態に係るサービス提供システム１の構成を示す概略図である。
【００１６】
図１に示すように、サービス提供システム１は、光ディスクプレーヤ（再生装置）１０、モニタ（表示装置）３０、ルータ４０、サーバ５０、及び携帯端末６０を含んでいる。ルータ４０は、ネットワーク７０に接続されており、例えば家庭内で運用するローカルエリアネットワーク（Ｌｏｃａｌ  Ａｒｅａ  Ｎｅｔｗｏｒｋ：ＬＡＮ）を構築可能にする。
【００１７】
サービス提供システム１では、光ディスクプレーヤ１０は、光ディスク２０（対象の光ディスク）を他の光ディスクから識別する情報であるディスクＩＤ（光ディスク識別情報）を取得し、サーバ５０（いわゆる、キーマネージメントサーバ）にディスクＩＤを送信することにより認証を要求する。サーバ５０は、ディスクＩＤによる光ディスク２０の認証（以降では、単に「ディスクＩＤの認証」とも記載する）の要求を受け付けると、ディスクＩＤの認証を実行し、認証結果を光ディスクプレーヤ１０に出力する。光ディスクプレーヤ１０は、サーバ５０から取得した認証結果がディスクＩＤが認証されたことを示す場合、上記条件付きサービスを提供する。
【００１８】
本実施形態では、ディスクＩＤが認証されたことを示す認証結果として、サーバ５０は、タイトルキーを出力する。なお、以下において、サーバ５０の認証を条件としないサービスを通常サービスと称し、サーバ５０の認証を条件とする条件付きサービスを条件付きサービスと称する。
【００１９】
光ディスクプレーヤ１０は、上記ＬＡＮを構成する端末の１つであり、ルータ４０に接続されている。言い換えれば、光ディスクプレーヤ１０は、ルータ４０を介してネットワーク７０に接続されている。なお、図１において、実線の矢印は、有線接続による機器間の接続を表し、破線の矢印は、無線接続による機器間の接続を表す。図１に示す各機器の接続の態様（有線又は無線）は、接続の態様の一例であり、これに限定されるものではない。光ディスクプレーヤ１０の詳細な構成については、後述する。
【００２０】
光ディスクプレーヤ１０は、従来の光ディスクプレーヤと同様に、挿入された光ディスク２０に格納されているコンテンツを再生し、再生した映像を表す映像信号を、ＨＤＭＩ（High Definition Multimedia Interface、登録商標）ケーブルを介して接続されたモニタ３０へ提供する。
【００２１】
モニタ３０は、光ディスクプレーヤ１０から取得した映像信号に応じたオブジェクトを表示する。ここで、オブジェクトとは、映像（動画像）、静止画像、テキスト、選択項目が割り当てられたボタンなどを指す。本実施形態において、モニタ３０は、放送を受信するチューナー部を備えていないものとして説明するが、チューナー部を備えておりテレビジョン受像機として機能可能なものであってもよい。また、モニタ３０は、ルータ４０に接続されており、上記ＬＡＮを構成する端末の１つであってもよい。
【００２２】
サーバ５０は、ディスクＩＤの認証要求を受け付け、認証した結果を表す認証結果を出力する。また、サーバ５０は、取得したディスクＩＤに関連付けられている条件付きサービスを管理する。条件付きサービスの管理とは、提供できる条件付きサービスの種類および提供できる回数を管理することである。また、サーバ５０は、自装置の記憶部にコンテンツを格納しており、要求に応じて当該コンテンツを出力する。サーバ５０の詳細な構成については、後述する。
【００２３】
携帯端末６０は、ネットワーク７０に接続されており、光ディスクプレーヤ１０及びサーバ５０のそれぞれと通信可能なように構成されている。携帯端末６０は、光ディスク２０のディスクＩＤが認証された場合に、上述の条件付きサービスを利用可能なように構成されている。なお、図１において、携帯端末６０は、ネットワーク７０に接続されている。しかし、使用の態様に応じて、携帯端末６０は、ルータ４０のＬＡＮ側に接続される場合もあり得る。
【００２４】
次に、サービス提供システム１に含まれている光ディスクプレーヤ１０、及び、サーバ５０について、参照する図を変えて説明する。
【００２５】
（光ディスクプレーヤ１０の構成）
光ディスクプレーヤ１０の構成について、図２を参照して説明する。図２は、本実施形態に係る光ディスクプレーヤ１０のハードウェア構成を示すブロック図である。
【００２６】
図２の（ａ）に示すように、光ディスクプレーヤ１０は、バスを介して互いに接続されたＣＰＵ（Central Processing Unit）１１、メモリ１２、ＨＤＤ（ハードディスクドライブ）１３、通信Ｉ／Ｆ（インターフェース）１４、ＨＤＭＩ  Ｉ／Ｆ（インターフェース）１５、光ディスクドライブ１６、ＵＳＢ（Universal Serial Bus）  Ｉ／Ｆ１７、及び、リモコン受光部１８を備えている。
【００２７】
ＣＰＵ１１は、光ディスクプレーヤ１０全体を統合制御する制御部である。ＣＰＵ１１は、各種プログラムが格納されたＨＤＤ１３から当該プログラムをメモリ１２上に展開し、当該プログラムに含まれる命令を実行することによって、光ディスクプレーヤ１０全体を統合制御する。
【００２８】
ＨＤＤ１３は補助記憶装置であり、ＣＰＵ１１を制御部として機能させるための各種プログラムが格納されている。また、ＨＤＤ１３は、光ディスク２０に格納されているコンテンツやサーバ５０から取得するコンテンツなども格納することができる。メモリ１２は主記憶装置であり、ＣＰＵ１１によりＨＤＤ１３に格納されていた各プログラムが展開される。メモリ１２は、例えば、ＲＡＭ（Random Access Memory）などであればよい。
【００２９】
通信Ｉ／Ｆ１４は、光ディスクプレーヤ１０が外部の装置と通信するためのインターフェースである。通信Ｉ／Ｆ１４は、例えば、無線通信によりルータ４０と通信を行うことにより、ルータ４０に接続されているネットワーク上の機器（サーバ５０など）と通信を行う。
【００３０】
ＨＤＭＩ  Ｉ／Ｆ１５は、非圧縮デジタル形式の映像データや音声データを伝送するとともに、ＣＥＣ（Consumer Electronics Control）コマンドを送受信することが可能なインターフェースである。また、ＵＳＢ  Ｉ／Ｆ１７は、ＵＳＢ規格に適合したデジタル信号を所定のプログラムに基づいて送受信可能なインターフェースである。
【００３１】
光ディスクドライブ１６は、光ディスク２０の装填（挿入）を検知する検知部としても機能する。また、光ディスクドライブ１６は、挿入された光ディスク２０に書き込まれている（格納されている）データを読み出す。
【００３２】
リモコン受光部１８は、図２（ｂ）に示すリモートコントローラ（リモコン）１９から送信されるリモコン信号を受信する。
【００３３】
リモコン１９は、図２の（ｂ）に示すように、テンキー１９ａおよびカーソルキー１９ｂを備えている。リモコン１９は、テンキー１９ａおよびカーソルキー１９ｂを介してユーザから光ディスクプレーヤ１０に対する操作を受け付ける。そして、リモコン１９は、受け付けた操作を示すリモコン信号を送信する。
【００３４】
（ＣＰＵ１１の構成）
ＣＰＵ１１によって実現される主要な機能について、図３を参照して説明する。図３は、本実施形態に係る光ディスクプレーヤ１０の備えるＣＰＵ１１の主要な構成を示す機能ブロック図である。
【００３５】
図３に示すように、ＣＰＵ１１は、ディスク情報取得部（光ディスク識別情報取得部）１１１、ディスクＩＤ管理部１１２、タイトルキー管理部（認証用情報取得部、判定部）１１３、認証リクエスト部（識別情報送信部）１１４、認証結果取得部（認証結果取得部）１１５、操作信号取得部１１６、サービス提供部１１７、及び、表示制御部（表示制御部）１１８を備えている。
【００３６】
ディスク情報取得部１１１は、光ディスク２０に格納されているディスク情報（例えば、コンテンツ、ディスクＩＤなど）を、光ディスクドライブ１６を介して取得する。ディスクＩＤ管理部１１２は、取得したディスクＩＤを管理する。より具体的には、ディスクＩＤ管理部１１２は、取得したディスクＩＤが記憶部（不図示であるが、ＨＤＤ１３であってもよい）に格納されているか否かを判定し、格納されていない場合は、取得したディスクＩＤを記憶部に格納する。
【００３７】
タイトルキー管理部１１３は、取得したディスクＩＤに関連付けられるタイトルキーを管理する。より具体的には、タイトルキー管理部１１３は、取得したディスクＩＤに関連付けられたタイトルキーが記憶部（不図示であるが、ＨＤＤ１３であってもよい）に格納済であるか否かを判定する（換言すれば、取得したディスクＩＤによる光ディスク２０の認証がされているか否かを判定する）判定部をとして機能する。また、タイトルキー管理部１１３は、タイトルキーを取得した場合、ディスクＩＤと関連付けて、取得したタイトルキーを記憶部に格納する。
【００３８】
認証リクエスト部１１４は、通信Ｉ／Ｆ１４を介して、サーバ５０に対してディスクＩＤを送信することにより、ディスクＩＤの認証を要求する。認証結果取得部１１５は、通信Ｉ／Ｆ１４を介して、サーバ５０からディスクＩＤの認証結果を取得する。
【００３９】
サービス提供部１１７は、認証結果を取得し、認証結果がディスクＩＤが認証されたことを示す場合（タイトルキーを取得した場合）、通常サービスおよび条件付きサービスを提供する。一方、サービス提供部１１７は、認証結果がディスクＩＤを認証しないことを示す場合（タイトルキーが取得できない場合）、通常サービスを提供する。なお、通常サービスおよび条件付サービスは、サービス提供部１１７が、ＨＤＤ１３から取得して提供してもよいし、光ディスクプレーヤ１０にセットされている光ディスク２０から取得して提供してもよいし、またはサーバ５０等、外部のネットワーク経由で取得し、提供してもよい。
【００４０】
操作信号取得部１１６は、リモコン受光部１８を介して、光ディスクプレーヤ１０に対する操作を示す操作信号を取得する。例えば、操作信号取得部１１６は、光ディスク２０のディスクＩＤをサーバに送信することにより行われる光ディスク２０の認証を行う旨のサーバに要求する旨のユーザ指示を、リモコン１９からリモコン受光部１８を介して受け付ける。認証リクエスト部１１４は、操作信号取得部１１６により認証を要求する旨のユーザ指示が受け付けられた場合に、ディスクＩＤの要求を行えばよい。
【００４１】
表示制御部１１８は、ＨＤＭＩ  Ｉ／Ｆ１５を介して、モニタ３０を制御する。
【００４２】
（サーバ５０の構成）
サーバ５０の構成について、図４を参照して説明する。図４は、本実施形態に係るサーバ５０のハードウェア構成を示すブロック図である。図４に示すように、サーバ５０は、バスを介して互いに接続されたＣＰＵ５１、メモリ５２、ＨＤＤ５３、及び通信Ｉ／Ｆ５４を備えている。
【００４３】
ＣＰＵ５１は、サーバ５０全体を統合制御する制御部である。ＣＰＵ５１は、各種プログラムが格納されたＨＤＤ５３から当該プログラムをメモリ５２上に展開し、当該プログラムに含まれる命令を実行することによって、サーバ５０全体を統合制御する。
【００４４】
ＨＤＤ５３は補助記憶装置であり、ＣＰＵ５１を制御部として機能させるための各種プログラムが格納されている。また、ＨＤＤ５３には、コンテンツやサービスなども格納することができる。メモリ５２は主記憶装置であり、例えば、ＲＡＭなどであればよい。
【００４５】
通信Ｉ／Ｆ５４は、サーバ５０が外部の装置と通信するためのインターフェースである。
【００４６】
（ＣＰＵ５１の構成）
ＣＰＵ５１によって実現される主要な機能について、図５を参照して説明する。図５は、本実施形態に係るサーバ５０の備えるＣＰＵ５１の主要な構成を示す機能ブロック図である。
【００４７】
図５に示すように、ＣＰＵ５１は、情報取得部（情報取得部）５１１、認証部（認証部）５１２、サービス管理部５１３、及び、認証結果出力部（認証結果出力部）５１４を備えている。
【００４８】
情報取得部５１１は、通信Ｉ／Ｆ５４を介して、ディスクＩＤの認証要求を受け付ける。認証部５１２は、取得したディスクＩＤを認証する。
【００４９】
サービス管理部５１３は、サーバ５０が提供可能なサービスを管理する。認証結果出力部５１４は、認証部５１２が認証した結果を表す認証結果を出力する。
【００５０】
（認証推奨処理）
次に、光ディスクプレーヤ１０に光ディスク２０が挿入された際に、当該光ディスクプレーヤ１０が光ディスク２０のディスクＩＤを認証することを促す（推奨する）認証推奨処理の流れについて、図６及び図７を参照して説明する。図６は、本実施形態に係る光ディスクプレーヤ１０における認証推奨処理の流れを示すフローチャートである。図７は、本実施形態に係る光ディスクプレーヤ１０がモニタ３０に表示する、認証の推奨および条件付きサービスの概要を通知する画面の一例を示す図である。
【００５１】
図６に示すように、光ディスク２０が光ディスクプレーヤ１０に挿入されると（ステップＳ１００）、光ディスクプレーヤ１０のタイトルキー管理部１１３は、光ディスク２０のディスクＩＤに関連付けられたタイトルキーが当該光ディスクプレーヤ１０において管理されているか否かを判定する（ステップＳ１０２）。具体的には、タイトルキー管理部１１３は、まず、ディスク情報取得部１１１において取得された光ディスク２０のディスクＩＤをディスクＩＤ管理部１１２から取得する。そして、タイトルキー管理部１１３は、取得したディスクＩＤに関連付けられたタイトルキーがＨＤＤ１３などの記録部に格納されているか否かを判定することにより、ディスクＩＤに関連付けられたタイトルキーが管理されているか否かを判定する。
【００５２】
タイトルキーが管理されていないと判定した場合（換言すれば、取得したディスクＩＤによる光ディスク２０の認証がされていない場合）（ステップＳ１０２においてＮＯ）、タイトルキー管理部１１３は、光ディスク２０のディスクＩＤの認証をサーバ５０に要求することをユーザに促す通知を行う（ステップＳ１０４）。具体的には、タイトルキー管理部１１３は、表示制御部１１８を制御して、光ディスク２０のディスクＩＤの認証をサーバ５０に要求することをユーザに促す認証推奨画面をモニタ３０に表示する。
【００５３】
また、サービス提供部１１７は、光ディスク２０のディスクＩＤが認証された場合にユーザが受けることのできる条件付きサービスの概要を示すサービス概要情報を通知する（ステップＳ１０６）。具体的には、サービス提供部１１７は、表示制御部１１８を制御して、サービス概要情報を通知する画面（サービス概要情報画面）をモニタ３０に表示する。ここで、本実施形態においては、サービス概要情報の通知には、各サービスの概要を一覧表示するサービス概要の通知（サービス概要画面）、及び、サービス概要画面を確認するためのユーザ指示を受け付けるサービス概要確認用ＵＩの通知などが含まれる。
【００５４】
例えば、図７の（ａ）に示すように、認証推奨画面とサービス概要画面とが共に１つの画面内に共に表示されてもよいし、（ｂ）に示すように、認証推奨画面とサービス概要確認用ＵＩとが表示され、当該サービス概要確認用ＵＩが選択された場合にサービス概要画面が更に表示されてもよいし、表示態様は特に限定されない。また、サービス概要画面においては、図７の（ａ）に示すように、サービスの概要（サービスのタイトル、簡単な説明、又は、サービスを示すアイコンなど）が一覧表示されればよいが、その表示内容も特に限定されない。
【００５５】
タイトルキー管理部１１３は、認証推奨画面が表示されると、ディスクＩＤをサーバに送信することによる光ディスク２０の認証を行う旨のユーザ指示（ディスクＩＤの認証をサーバ５０に要求する旨のユーザ指示）がされたか（認証要求が指示されたか）否かを判定する（ステップＳ１０８）。タイトルキー管理部１１３は、例えば、操作信号取得部１１６において認証を要求する旨のユーザ指示を受け付けた場合に、ユーザ指示がされたと判定することができる。
【００５６】
タイトルキー管理部１１３により認証要求が指示されたと判定された場合（ステップＳ１０８においてＹＥＳ）、認証リクエスト部１１４は、光ディスク２０のディスクＩＤをサーバ５０に送信すると共に、サーバ５０に対して、ディスクＩＤの認証を要求する（ステップＳ１１０）。そして、認証結果取得部１１５は、サーバ５０から出力される、ディスクＩＤの認証結果を取得する（ステップＳ１１２）。
【００５７】
取得した認証結果が、ディスクＩＤが認証されたことを示す場合（つまり、認証結果としてタイトルキーを取得した場合）、サービス提供部１１７は、条件付きサービスの提供を開始する。
【００５８】
上述のように、本実施形態では、光ディスク２０が光ディスクプレーヤ１０に挿入されたときに認証推奨処理が行われる。この場合には、光ディスクドライブ１６が光ディスク２０の挿入を検知した場合に、ＣＰＵ１１が、ディスク情報取得部１１１、タイトルキー管理部１１３、サービス提供部１１７、及び表示制御部１１８などの各部を動作させる制御部として機能すればよい。
【００５９】
なお、本実施形態では、光ディスクドライブ１６が光ディスク２０の挿入を検知した場合にＣＰＵ１１が各部を動作させる構成を例に説明したが、ＣＰＵ１１が各部を動作させるタイミングは、光ディスクドライブ１６が光ディスク２０の挿入を検知した後であれば特に限定されない。
【００６０】
＜機器ＩＤの認証を条件とする構成＞
上記の例では、条件付きサービスが、光ディスク２０のディスクＩＤの認証を条件として提供されるものとしたが、これは本実施形態を限定するものではない。条件付きサービスは、光ディスク２０のディスクＩＤおよび光ディスクプレーヤ１０の機器ＩＤ（機器識別情報）の双方の認証を条件として提供されるものとしてもよい。ここで機器ＩＤとは、認証を要求する光ディスクプレーヤ１０を他の機器から識別する情報である。
【００６１】
この構成の場合、光ディスクプレーヤ１０の認証リクエスト部１１４は、通信Ｉ／Ｆ１４を介して、サーバ５０に対して光ディスクプレーヤ１０の機器ＩＤを更に送信し、機器ＩＤの認証を更に要求する構成となる。また、認証結果取得部１１５は、通信Ｉ／Ｆ１４を介して、サーバ５０から機器ＩＤの認証結果を取得する。また、サービス提供部１１７は、ディスクＩＤおよび機器ＩＤの双方が認証された場合に、通常サービスおよび条件付きサービスを提供し、ディスクＩＤおよび機器ＩＤの少なくとも何れかが認証されなかった場合、通常サービスのみを提供する。
【００６２】
より具体的には、サーバ５０の情報取得部５１１は、通信Ｉ／Ｆ５４を介して、機器ＩＤの認証要求を更に受け付け、認証部５１２は、取得した機器ＩＤを更に認証する。例えば、認証部５１２は、取得した機器ＩＤが、不正な機器などをリストにより管理するブラックリスト（ＢＬ）に登録されていないかを判定する。そして、機器ＩＤがＢＬに登録されている場合には、認証されなかった旨の認証結果を出力する。ここで、ＢＬには、不正な機器の機器ＩＤをリストにより管理する機器ＢＬ、及び、不正な光ディスクのディスクＩＤをリストにより管理するディスクＢＬなどが含まれる。
【００６３】
また、ステップＳ１０４において、タイトルキー管理部１１３は、光ディスク２０のディスクＩＤおよび光ディスクプレーヤ１０の機器ＩＤの認証をサーバ５０に要求することをユーザに促す通知を行う構成としてもよい。
【００６４】
また、ステップＳ１０６において、サービス提供部１１７は、光ディスク２０のディスクＩＤ光ディスクプレーヤ１０の機器ＩＤの双方が認証された場合にユーザが受けることのできる条件付きサービスの概要を示すサービス概要情報を通知する。
【００６５】
また、ステップＳ１１０において、認証リクエスト部１１４は、サーバ５０に対して、機器ＩＤの認証を更に要求する。そして、ステップＳ１１２において、認証結果取得部１１５は、サーバ５０から出力される、ディスクＩＤおよび機器ＩＤの認証結果を取得する。
【００６６】
取得した認証結果が、ディスクＩＤ及び機器ＩＤが認証されたことを示す場合（つまり、認証結果としてタイトルキーを取得した場合）、サービス提供部１１７は、条件付きサービスの提供を開始する。
【００６７】
〔実施形態２〕
なお、光ディスクプレーヤ１０における認証推奨処理のタイミングは、光ディスク２０が光ディスクプレーヤ１０に挿入されたときに限定されるものではない。
【００６８】
例えば、光ディスクプレーヤは、光ディスク２０に格納されているコンテンツを再生するタイミングで認証推奨処理を実行してもよいし、条件付きサービスの提供を指示するユーザ指示を取得したタイミングで認証推奨処理を実行してもよい。
【００６９】
〔実施形態３〕
また、本実施形態では、光ディスクプレーヤ１０が、ユーザに対して認証を促す通知を、認証推奨画面を表示することにより実現する構成を例に説明したが、通知方法はこれに限定されるものではなく、例えば、音声などにより通知する構成を採用することもできる。
【００７０】
なお、サービス提供部１１７は、サービス概要情報画面を表示する際に、サービスの概要を、例えば、ＨＤＤ１３から取得してもよいし、光ディスクプレーヤ１０にセットされている光ディスク２０から取得してもよいし、またはサーバ５０等、外部のネットワーク経由で取得してもよい。サービスの概要をサーバ５０から取得する場合には、サーバ５０のサービス管理部５１３が出力部としても機能し、サービスの概要を通信Ｉ／Ｆ５４を介して光ディスクプレーヤ１０へ出力すればよい。
【００７１】
〔実施形態４〕
また、光ディスクプレーヤ１０は、光ディスク２０が挿入されたときにサーバ５０に対してディスクＩＤの認証を要求できない不具合がある場合には、ディスクＩＤの認証をサーバ５０に要求することをユーザに促す通知として、当該不具合を解消することを促す旨を通知してもよい。
【００７２】
例えば、光ディスクプレーヤ１０は、光ディスクプレーヤ１０がネットワーク７０に接続されていない場合に、ディスクＩＤの認証をサーバ５０に要求することをユーザに促す通知として、光ディスクプレーヤ１０をネットワーク７０に接続することを促す旨を通知すればよい。
【００７３】
これによれば、光ディスクプレーヤ１０は、サーバ５０に対してディスクＩＤの認証を要求できない不具合がある場合であっても、それをユーザに通知して解消することにより、サーバ５０に対してディスクＩＤの認証を要求することができる。したがって、光ディスクプレーヤ１０は、光ディスク２０が挿入されたときにサーバ５０に対してディスクＩＤの認証を要求できない不具合がある場合であっても、ユーザに対して条件付きサービスを提供することができる。
【００７４】
なお、不具合を解消することを促す旨の通知に従ってユーザが不具合を解消した場合には、光ディスクプレーヤ１０は、ディスクＩＤの認証をサーバ５０に自動で要求してもよいし、ディスクＩＤの認証をサーバ５０に要求することをユーザに促す通知を改めて行ってもよい。
【００７５】
また、上述の実施形態では、再生装置がディスプレイ（モニタ）を備えない光ディスクプレーヤ１０により実現される構成を例に挙げて説明したが、本発明はこれに限定されるものではない。例えば、再生装置は、ディスプレイおよび上述の光ディスクプレーヤ１０の各構成を備えるテレビジョン受像機、又は、ＰＣなどにより実現される構成を採用することもできる。
【００７６】
〔実施形態５〕
光ディスクプレーヤ１０及びサーバ５０の制御ブロック（特にＣＰＵ１１およびＣＰＵ５１）は、集積回路（ＩＣチップ）等に形成された論理回路（ハードウェア）によって実現してもよいし、ＣＰＵ（Central Processing Unit）を用いてソフトウェアによって実現してもよい。
【００７７】
後者の場合、光ディスクプレーヤ１０及びサーバ５０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７８】
なお、以上では、再生装置が光ディスク２０に格納されているコンテンツを再生する光ディスクプレーヤ１０である場合を例に挙げて説明したが、本発明に係る再生装置は、リムーバブルメディアに格納されているコンテンツを再生可能な装置であれば、特に限定されない。リムーバブルメディアとしては、例えば、ＣＤ、ＤＶＤ、ＢＤ、メモリーカード、及び、ＵＳＢメモリなどを例に挙げることができる。
【００７９】
〔まとめ〕
本発明の態様１に係る再生装置（光ディスクプレーヤ１０）は、対象の光ディスク（光ディスク２０）から、当該対象の光ディスクを他の光ディスクから識別する情報である光ディスク識別情報（ディスクＩＤ）を取得する光ディスク識別情報取得部（ディスク情報取得部１１１）と、上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得部（サービス提供部１１７）と、上記対象の光ディスクの認証をユーザに促すと共に、上記サービス概要情報をユーザに通知する通知部（タイトルキー管理部１１３、サービス提供部１１７、表示制御部１１８）と、を備えている。
【００８０】
上記の構成によれば、上記再生装置は、対象の光ディスクの認証をユーザに促す通知を行う。つまり、再生装置は、当該通知により、ユーザに対して、ユーザが光ディスク識別情報による対象の光ディスクの認証を希望するか否かを確認することができる。
【００８１】
また、上記再生装置は、光ディスク識別情報による対象の光ディスクの認証を条件として提供される条件付きサービスの概要をユーザに通知する。これによれば、上記再生装置は、ユーザに対して、光ディスク識別情報による対象の光ディスクの認証が行われた場合にユーザに提供することのできる条件付きサービスの概要をユーザに通知することができる。
【００８２】
これにより、ユーザは、光ディスク識別情報による対象の光ディスクの認証がされた場合に自身が受けられる条件付きサービスの概要を知った上で、対象の光ディスクの認証を行うか否かを決定することができる。従って、上記再生装置は、ユーザの利便性を向上させることができる。
【００８３】
本発明の態様２に係る再生装置は、上記態様１において、上記対象の光ディスクの認証は、上記光ディスク識別情報をサーバに送信することにより行われるものとしてもよい。
【００８４】
上記の構成によれば、上記光ディスクの認証は、上記光ディスク識別情報をサーバに送信することにより行われるので、サーバを用いたディスクの認証処理を好適に行うことができる。
【００８５】
本発明の態様３に係る再生装置は、上記態様１または２において、上記光ディスク識別情報による当該対象の光ディスクの認証がされているか否かを判定する判定部（タイトルキー管理部１１３）を更に備えており、上記通知部は、上記判定部により認証がされていないと判定された場合に、上記対象の光ディスクの認証をユーザに促すと共に、上記サービス概要情報をユーザに通知してもよい。
【００８６】
上記の構成によれば、上記再生装置は、判定部により、対象の光ディスクの認証がされているか否かを判定することができる。そして、上記再生装置は、判定部により対象の光ディスクの認証がされていないと判定された場合に、ユーザに対して認証を促すと共にサービス概要情報を通知する。従って、上記再生装置は、必要な場合にのみユーザに対して認証を促すと共にサービス概要情報を通知することができるため、ユーザの利便性を更に向上させることができる。
【００８７】
本発明の態様４に係る再生装置は、上記態様１から３において、上記光ディスク識別情報をサーバに送信することによる当該対象の光ディスクの認証を行う旨のユーザ指示を受け付けるユーザ指示受付部（操作信号取得部１１６）と、上記ユーザ指示受付部が上記ユーザ指示を受け付けた場合に、上記光ディスク識別情報をサーバに送信する識別情報送信部（認証リクエスト部１１４）と、上記サーバから認証結果を取得する認証結果取得部（認証結果取得部１１５）と、上記認証結果が上記光ディスク識別情報が認証されたことを示す場合に、上記条件付きサービスを提供するサービス提供部（サービス提供部１１７）と、を更に備えていてもよい。
【００８８】
上記の構成によれば、上記再生装置は、上記ユーザ指示を受け付けた場合に、光ディスク識別情報をサーバに送信し、光ディスク識別情報を認識することを示す認証結果を取得した場合に、条件付きサービスを提供する。したがって、上記再生装置は、光ディスク識別情報をサーバに送信することによる当該対象の光ディスクの認証を行うことをユーザが指示した場合にのみ、ユーザに対して条件付きサービスを提供することができる。
【００８９】
本発明の態様５に係る再生装置は、上記態様１から４において、光ディスクが自装置に挿入されたことを検知する検知部（光ディスクドライブ１６）と、上記検知部が上記光ディスクの挿入を検知した後に、上記光ディスク識別情報取得部、上記サービス概要情報取得部、及び上記通知部を動作させる制御部（ＣＰＵ１１）と、を更に備えていてもよい。
【００９０】
上記の構成によれば、上記再生装置は、光ディスクが自装置に挿入されたことを検知した後に、光ディスク識別情報の認証をサーバに要求することを促す通知を行うと共に、サービス概要情報をユーザに通知する。これによれば、上記再生装置は、光ディスクが自装置に挿入された後に、ユーザに対して光ディスク識別情報の認証をサーバに要求することを促すと共に、条件付きサービスの概要を通知することができる。これにより、ユーザの利便性をより向上させることができる。
【００９１】
本発明の態様６に係るサーバ（サーバ５０）は、対象の光ディスクを他の光ディスクから識別する情報である光ディスク識別情報を取得する情報取得部（情報取得部５１１）と、上記情報取得部が取得した光ディスク識別情報を認証する認証部（認証部５１２）と、上記認証部の認証結果を出力する認証結果出力部（認証結果出力部５１４）と、上記対象の光ディスクに関連付けられた条件付きサービスであって、上記光ディスク識別情報の認証を条件として提供される条件付きサービスの概要を示すサービス概要情報を出力する出力部（サービス管理部５１３）と、を備えている。
【００９２】
上記の構成によれば、上記サーバは、上述の再生装置と同様の効果を奏することができる。
【００９３】
本発明の態様７に係る通知方法は、再生装置の通知方法であって、対象の光ディスクから、当該対象の光ディスクを他の光ディスクから識別する情報である光ディスク識別情報を取得する光ディスク識別情報取得ステップと、上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得ステップと、上記対象の光ディスクの認証をユーザに促すと共に、上記サービス概要情報をユーザに通知する通知ステップと、を含んでいる。
【００９４】
上記の構成によれば、上記通知方法は、上述の再生装置と同様の効果を奏することができる。
【００９５】
本発明の態様８に係るサービス管理方法は、サーバのサービス管理方法であって、対象の光ディスクを他の光ディスクから識別する情報である光ディスク識別情報を取得する情報取得ステップと、上記情報取得ステップにおいて取得した光ディスク識別情報を認証する認証ステップと、上記認証ステップにおける認証結果を出力する認証結果出力ステップと、上記対象の光ディスクに関連付けられた条件付きサービスであって、上記光ディスク識別情報の認証を条件として提供される条件付きサービスの概要を示すサービス概要情報を出力する出力ステップと、を含んでいる。
【００９６】
上記の構成によれば、上記サービス管理方法は、上述の再生装置と同様の効果を奏することができる。
【００９７】
本発明の態様９に係る再生システムは、サーバと再生装置とを含む再生システムであって、上記再生装置は、対象の光ディスクから、当該対象の光ディスクを他の光ディスクから識別する情報である光ディスク識別情報を取得する光ディスク識別情報取得部と、上記対象の光ディスクに関連付けられた条件付きサービスであって、上記光ディスク識別情報による当該対象の光ディスクの認証を条件として提供される条件付きサービスの概要を示すサービス概要情報を取得するサービス概要情報取得部と、上記対象の光ディスクの認証をユーザに促すと共に、上記サービス概要情報をユーザに通知する通知部と、を備えており、上記サーバは、上記光ディスク識別情報を取得する情報取得部と、上記情報取得部が取得した光ディスク識別情報を認証する認証部と、上記認証部の認証結果を上記再生装置に出力する認証結果出力部と、上記対象の光ディスクに関連付けられた条件付きサービスであって、上記光ディスク識別情報の認証を条件として提供される条件付きサービスの概要を示すサービス概要情報を上記再生装置に出力する出力部と、を備えている。
【００９８】
上記の構成によれば、上記再生システムは、上述の再生装置と同様の効果を奏することができる。
【００９９】
本発明の各態様に係る再生装置及びサーバは、コンピュータによって実現してもよく、この場合には、コンピュータを上記再生装置又はサーバが備える各部として動作させることにより上記再生装置又はサーバをコンピュータにて実現させるプログラム、およびそれを記録したコンピュータ読み取り可能な記録媒体も、本発明の範疇に入る。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０１】
本発明は、光ディスク（ＢＤ、ＤＶＤなど）プレーヤ／レコーダ、光ディスクプレーヤを内蔵するテレビジョン受像機、光ディスクプレーヤを再生可能なパーソナルコンピュータなどに好適に利用することができる。
【符号の説明】
【０１０２】
１    サービス提供システム（再生システム）
１０    光ディスクプレーヤ（再生装置）
１１    ＣＰＵ（制御部）
１６    光ディスクドライブ（検知部）
２０    光ディスク
３０    モニタ
４０    ルータ
５０    サーバ
５１    ＣＰＵ
６０    携帯端末
１１１  ディスク情報取得部（光ディスク識別情報取得部）
１１２  ディスクＩＤ管理部
１１３  タイトルキー管理部（通知部、判定部）
１１４  認証リクエスト部（識別情報送信部）
１１５  認証結果取得部（認証結果取得部）
１１６  操作信号取得部（ユーザ指示受付部）
１１７  サービス提供部（サービス概要情報取得部、通知部、サービス提供部）
１１８  表示制御部（通知部）
５１１  情報取得部（情報取得部）
５１２  認証部（認証部）
５１３  サービス管理部（出力部）
５１４  認証結果出力部（認証結果出力部）
【図１】
2016091473.tif 000003
【図２】
2016091473.tif 000004
【図３】
2016091473.tif 000005
【図４】
2016091473.tif 000006
【図５】
2016091473.tif 000007
【図６】
2016091473.tif 000008
【図７】
2016091473.tif 000009